(57)【要約】【課題】あらゆる種類の自動販売機がＩＣコードを使用するポイントシステムおよびプリペイ方式決算システムを適用できることを可能にするＩＣコードの受付払出制御方法および硬貨処理装置を提供する。【解決手段】硬貨１９とＩＣコイン２０とが硬貨処理装置１に投入されると、硬貨１９とＩＣコイン２０とは保留部２１に一時的に保留されるとともに、硬貨１９とＩＣコイン２０との配列順序を記憶部に記憶する。保留部２１の１枚目を保留するスペースには、第１のアンテナ１８１が配置されていて、配列順序に基づいて保留部２１の１枚目を保留するスペースにＩＣコイン２０が到達するのを検出すると、第１のアンテナ１８１はＩＣコイン２０に記憶されている金額情報を読み出し、商品販売に使用された金額を減算した金額情報がＩＣコイン２０に書き込まれる。【選択図】　図３
2004054346.tif 000002
【特許請求の範囲】
【請求項１】
硬貨投入口から投入された硬貨の真偽および金種を識別し、該識別した硬貨を硬貨振分手段により金種別に振り分けて蓄積部にそれぞれ蓄積するとともに、該振り分けた少なくとも１つの金種の硬貨は保留部に一時保留し、返金若しくは釣銭の払い出しに際して前記保留部に保留した硬貨を優先して払い出す自動販売機の制御方法において、
前記硬貨投入口から投入されたコイン型のＩＣコインを識別し、
該識別したＩＣコインを硬貨振分手段により振り分けて前記保留部に一時保留し、
該ＩＣコインが該保留部に一時保留された状態で該ＩＣコインに対する情報の読み取り若しくは書き込みを行う
ことを特徴とする自動販売機の制御方法。
【請求項２】
前記保留部は、複数の硬貨を順次保留するとともに、返金若しくは釣銭の払い出しに際しては該保留部に保留された硬貨を１枚ずつ返金若しくは蓄積部に蓄積し、
該保留部にＩＣコインが保留された場合は、該ＩＣコインの保留された順番を記憶し、
該記憶に基づき該ＩＣコインが前記保留部の最終保留位置に達したときに該ＩＣコインに対する情報の読み取り若しくは書き込みを行う
ことを特徴とする請求項１記載の自動販売機の制御方法。
【請求項３】
前記保留部に蓄積されたＩＣコインは、前記蓄積部に蓄積することなく返却する
ことを特徴とする請求項１記載の自動販売機の制御方法。
【請求項４】
前記ＩＣコインに対して読み取り若しくは書き込まれる情報は、商品の販売促進に用いられるポイント情報である
ことを特徴とする請求項１記載の自動販売機の制御方法。
【請求項５】
前記ＩＣコインに対して読み取り若しくは書き込まれる情報は、商品の販売に用いられる対価情報である
ことを特徴とする請求項１記載の自動販売機の制御方法。
【請求項６】
硬貨投入口から投入された硬貨の真偽および金種を識別し、該識別した硬貨を硬貨振分手段により金種別に振り分けて蓄積部にそれぞれ蓄積するとともに、該振り分けた少なくとも１つの金種の硬貨は保留部に一時保留し、返金若しくは釣銭の払い出しに際して前記保留部に保留した硬貨を優先して払い出す自動販売機の制御装置において、
前記硬貨投入口から投入された硬貨の金種およびコイン型のＩＣコインを識別する識別手段と、
前記識別手段で識別した硬貨およびＩＣコインを振り分ける振分手段と、
前記振分手段で振り分けられた特定の金種の硬貨および前記ＩＣコインを一時保留する保留手段と、
前記保留手段に保留されたＩＣコインに対して情報の読み取り若しくは書き込みを行う情報読取書込手段と
を具備することを特徴とする自動販売機の制御装置。
【請求項７】
前記保留手段は、
前記ＩＣコインとともに少なくとも１枚の硬貨を順次保留し、
前記情報読取書込手段は、
前記保留手段の最終保留位置に対応して設けられる
ことを特徴とする請求項６記載の自動販売機の制御装置。
【請求項８】
前記情報読取書込手段により前記ＩＣコインに対して読み取り若しくは書き込まれる情報は、商品の販売促進に用いられるポイント情報である
ことを特徴とする請求項７記載の自動販売機の制御装置。
【請求項９】
前記情報読取書込手段により前記ＩＣコインに対して読み取り若しくは書き込まれる情報は、商品の販売に用いられる対価情報である
ことを特徴とする請求項７記載の自動販売機の制御装置。
【発明の詳細な説明】
【０００１】
【発明の属する技術分野】
本発明は、自動販売機の制御方法および装置に関し、特に、コイン型のＩＣコインを用いて商品の販売若しくは商品の販売促進のためのポイント収集を行うことができるようにした自動販売機の制御方法および装置に関する。
【０００２】
【従来の技術】
一般に、自動販売機においては、硬貨若しくは紙幣の投入により所望の商品等を購入することができるように構成されているが、最近は硬貨若しくは紙幣に代えて磁気カード若しくはＩＣカード等を用いて商品の販売を可能にした構成も提案されている。
【０００３】
また、この種の自動販売機においては、商品の販売促進のために、商品の販売毎に所定のポイント情報を発行し、ユーザはこの発行されたポイント情報を収集することにより、この収集したポイント情報に対応して所定のサービスを提供するシステムを提案されており、このようなシステムにおいては、上記ポイント情報の発行および収集に磁気カード若しくはＩＣカード等を導入する構成も提案されている。
【０００４】
【発明が解決しようとする課題】
ところで、上記硬貨若しくは紙幣に代えて商品を販売可能にするために若しくは商品の販売促進のためのポイント情報の発行、収集のために磁気カード若しくはＩＣカード等を導入する場合は、自動販売機に専用の磁気カードリーダライタ若しくはＩＣカードリーダライタを設ける必要があり、このためにこれら磁気カードリーダライタ若しくはＩＣカードリーダライタの設置スペースが別途必要になるという問題があった。
【０００５】
そこで、本発明は、コイン型のＩＣコインを採用することで、磁気カードリーダライタ若しくはＩＣカードリーダライタ等の別途設置スペースを不要にしてスペースの有効利用を可能にした自動販売機の制御方法および装置を提供することを目的とする。
【０００６】
【課題を解決するための手段】
上記目的を達成するため、請求項１の発明は、硬貨投入口から投入された硬貨の真偽および金種を識別し、該識別した硬貨を硬貨振分手段により金種別に振り分けて蓄積部にそれぞれ蓄積するとともに、該振り分けた少なくとも１つの金種の硬貨は保留部に一時保留し、返金若しくは釣銭の払い出しに際して前記保留部に保留した硬貨を優先して払い出す自動販売機の制御方法において、前記硬貨投入口から投入されたコイン型のＩＣコインを識別し、該識別したＩＣコインを硬貨振分手段により振り分けて前記保留部に一時保留し、該ＩＣコインが該保留部に一時保留された状態で該ＩＣコインに対する情報の読み取り若しくは書き込みを行うことを特徴とする。
【０００７】
また、請求項２の発明は、請求項１の発明において、前記保留部は、複数の硬貨を順次保留するとともに、返金若しくは釣銭の払い出しに際しては該保留部に保留された硬貨を１枚ずつ返金若しくは蓄積部に蓄積し、該保留部にＩＣコインが保留された場合は、該ＩＣコインの保留された順番を記憶し、該記憶に基づき該ＩＣコインが前記保留部の最終保留位置に達したときに該ＩＣコインに対する情報の読み取り若しくは書き込みを行うことを特徴とする。
【０００８】
また、請求項３の発明は、請求項１の発明において、前記保留部に蓄積されたＩＣコインは、前記蓄積部に蓄積することなく返却することを特徴とする。
【０００９】
また、請求項４の発明は、請求項１の発明において、前記ＩＣコインに対して読み取り若しくは書き込まれる情報は、商品の販売促進に用いられるポイント情報であることを特徴とする。
【００１０】
また、請求項５の発明は、請求項１の発明において、前記ＩＣコインに対して読み取り若しくは書き込まれる情報は、商品の販売に用いられる対価情報であることを特徴とする。
【００１１】
また、請求項６の発明は、硬貨投入口から投入された硬貨の真偽および金種を識別し、該識別した硬貨を硬貨振分手段により金種別に振り分けて蓄積部にそれぞれ蓄積するとともに、該振り分けた少なくとも１つの金種の硬貨は保留部に一時保留し、返金若しくは釣銭の払い出しに際して前記保留部に保留した硬貨を優先した払い出す自動販売機の制御装置において、前記硬貨投入口から投入された硬貨の金種およびコイン型のＩＣコインを識別する識別手段と、前記識別手段で識別した硬貨およびＩＣコインを振り分ける振分手段と、前記振分手段で振り分けられた特定の金種の硬貨および前記ＩＣコインを一時保留する保留手段と、前記保留手段に保留されたＩＣコインに対して情報の読み取り若しくは書き込みを行う情報読取書込手段とを具備することを特徴とする。
【００１２】
また、請求項７の発明は、請求項６の発明において、前記保留手段は、前記ＩＣコインとともに少なくとも１枚の硬貨を順次保留し、前記情報読取書込手段は、前記保留手段の最終保留位置に対応して設けられることを特徴とする。
【００１３】
また、請求項８の発明は、請求項７の発明において、前記情報読取書込手段により前記ＩＣコインに対して読み取り若しくは書き込まれる情報は、商品の販売促進に用いられるポイント情報であることを特徴とする。
【００１４】
また、請求項９の発明は、請求項７の発明において、前記情報読取書込手段により前記ＩＣコインに対して読み取り若しくは書き込まれる情報は、商品の販売に用いられる対価情報であることを特徴とする。
【００１５】
【発明の実施の形態】
以下、本発明に係わるコイン型のＩＣコイン（以下、ＩＣコインと呼ぶ）の自動販売機の制御方法および装置の実施の形態について添付図面を参照して詳細に説明する。
【００１６】
図１は、自動販売機１内部の構成の一例を示すブロック図である。
【００１７】
図１に示すように、自動販売機１は自動販売機の主制御装置２、硬貨処理装置３、紙幣処理装置４、商品払出制御装置５、パネル表示装置６、キー入力装置７から構成されている。
【００１８】
ここで、自動販売機の主制御装置２は、自動販売機１全体の制御および処理等を行うとともに、シリアル通信バス８を介して接続された硬貨処理装置３、紙幣処理装置４、商品払出制御装置５、パネル表示装置６、キー入力装置７を制御する。また、紙幣処理装置４に投入された紙幣の金額情報および硬貨処理装置３に投入された硬貨およびＩＣコインの金額情報を受け取り、これらの金額と商品の販売価格とを比較して、商品払出制御装置５に商品の払出指示を出す。
【００１９】
また、硬貨処理装置３は、投入された硬貨およびＩＣコインを選別し、硬貨の場合、材質および形状等に基づいて硬貨の正偽および金種を識別して収金する等の硬貨処理を行うとともに、硬貨の金額を演算し、算出した金額情報を自動販売機の主制御装置２に送出し、一方ＩＣコインの場合、ポイント数若しくはプリペイされた（予め支払われた）金額情報等をＩＣコインに書き込み、書き込みを行ったＩＣコインをユーザに返却する。
【００２０】
また、紙幣処理装置４は、投入された紙幣を印刷模様等に基づいて紙幣の正偽および金種を識別し、紙幣を収金するとともに、紙幣の金額を演算し、算出した金額情報を自動販売機の主制御装置２に送出する。
【００２１】
また、商品払出制御装置５は、自動販売機の主制御部２からの指示に基づいて商品の搬送および払い出し等の制御を行う。
【００２２】
また、パネル表示装置６は、商品展示用パネルディスプレイの表示等を制御する。
【００２３】
また、キー入力装置７は、自動販売機１の各種設定を入力するためのキー等である。
【００２４】
図２は、硬貨処理装置３内部の構成の一例を示すブロック図である。
【００２５】
図２に示すように、硬貨処理装置３は機能分散型システムにおける硬貨の処理を行う装置として制御部９、選別センサ１０、選別コイル１１、振分部１２、パスセンサ１３、払出モータ１４、エンプティスイッチ１５、データ交換制御部１６、記憶部１７、アンテナ１８から構成されている。
【００２６】
ここで、制御部９は、中央演算処理装置（ＣＰＵ）等を有し、自動販売機の主制御装置２との間でデータの交換に基づいて釣銭等の硬貨の払い出しを制御する処理の制御、投入された硬貨の識別結果に対応して投入硬貨を振り分ける処理の制御および投入されたＩＣコインにプリペイされた金額情報若しくはポイント等を書き込む処理の制御等を行う。
【００２７】
また、選別センサ１０は、硬貨処理装置３に投入されたのが硬貨であるかＩＣコインであるか選別する。現状のＩＣコインには、ＩＣコインである旨が判別できる程度の金属が取り付けられていて、選別センサはその金属に基づいてＩＣコインを判別する。
【００２８】
また、選別コイル１１は、制御部９からの駆動信号により所定の周波数で駆動される発振コイルおよび発振コイルと磁気的に接続された受信コイルとから構成され、選別センサ１０で選別された硬貨の正偽の識別を行い、正貨と識別した際には硬貨の金種の識別を行う。
【００２９】
また、振分部１２は、硬貨を振り分ける振分レバーと振分レバーを駆動する振分ソレノイドとから構成され、正貨と偽貨とを振り分け、正貨の場合は更に金種の振り分けを行う。
【００３０】
また、パスセンサ１３は、振分部１２で振り分けられた正貨の通過を検出する。
【００３１】
また、払出モータ１４は、硬貨およびＩＣコインの払い出しを行う。
【００３２】
また、エンプティスイッチ１５は、硬貨を保有するコインチューブの所定位置に配設され、コインチューブの硬貨の保有枚数がコインチューブに対応して設定された一定値以下になると動作する。
【００３３】
また、データ交換制御部１６は、自動販売機の主制御装置２との間で行われるデータ交換の制御を行う。
【００３４】
また、記憶部１７は、硬貨およびＩＣコインが硬貨処理装置１に投入され、一時的に保留部に保留される際に、保留部における硬貨およびＩＣコインの配列順序を記憶する。
【００３５】
また、アンテナ１８は、ＩＣコインに対して非接触で、ＩＣコインに埋設されたＩＣチップ内に予め記憶されている金銭情報等にアクセスして読み出し、読み出した金銭情報等からに商取引に使用する金銭情報等を減算し、減算した金銭情報等をＩＣチップ内に書き換える処理を行う。または、ＩＣコインに埋設されたＩＣチップ内に予め記憶されているポイント数等にアクセスして読み出し、読み出したポイント数等に商取引により獲得したポイント数等を加算し、加算したポイント数等をＩＣチップ内に書き換える処理を行う。
【００３６】
図３は、硬貨１９およびＩＣコイン２０が投入された際の硬貨処理装置３の動作について説明する図である。ここでは、プリペイ方式決算システムにおける硬貨処理装置３の動作とポイントシステムにおける硬貨処理装置３の動作とについて説明する。
【００３７】
プリペイ方式決算システムの場合、ユーザは硬貨１９と金額情報が予め記憶されているたＩＣコイン２０とを自動販売機１に投入する。そして、硬貨１９とＩＣコイン２０とが硬貨処理装置３に投入されると、選別センサ１０が硬貨１９とＩＣコイン２０との選別を行う。
【００３８】
そして、選別センサ１０が硬貨１９と選別した際に、硬貨１９が選別コイル１１に到達すると、選別コイル１１が硬貨１９の正偽を識別するとともに、正貨と識別した硬貨１９の金種の識別を行い、選別コイル１１を通過した硬貨１９は保留部２１に一時的に保留される。ここで、硬貨１９の金種を識別した選別コイル１１は硬貨１９の金種を制御部９に送出し、制御部９は受け取った金種に基づいて硬貨１９の金額を認識する。また、選別コイル１１で偽貨と識別された硬貨１９は硬貨処理装置３から図示しない自動販売機１の返却口に搬送される。
【００３９】
一方、選別コイル１０がＩＣコイン２０と選別した際に、ＩＣコイン２０は選別コイル１１に到達しても、選別コイル１１はＩＣコイン２０の識別を行わず、選別コイル１１を通過したＩＣコイン２０は保留部２１に一時的に保留される。
【００４０】
なお、保留部２１は複数の硬貨１９とＩＣコイン２０とを保留することが可能である。そして、保留部２１の１枚目を保留するスペースが保留部２１の排出口になっており、保留部２１に保留された硬貨１９とコイン２０とは必ずこの１枚目を保留するスペースを通らなければならない。
【００４１】
また、保留部２１の構造面から限界があるため、硬貨１９の投入枚数の制限を「保留部２１の最多保留枚数−１」とすることで、ＩＣコイン２０を保留部２１に１枚保留するスペースを確保する。また、保留部２１の１枚目を保留するスペースには、第１のアンテナ１８１が配置されていて、ＩＣコイン２０が１枚目を保留するスペースに到達した際に、第１のアンテナ１８１はＩＣコイン２０に埋設されたＩＣチップの読み書きを行う。
【００４２】
そして、硬貨１９とＩＣコイン２０とが保留部２１に保留される際に、制御部９は保留部２１の保留スペースにおける硬貨１９とＩＣコイン２０との配列順序を記憶部１７に記憶する。
【００４３】
ＩＣコイン２０より先に投入された硬貨１９が収金処理または釣銭処理等のために保留部２１から排出され、記憶部１７に記憶している硬貨１９とＩＣコイン２０との配列順序に基づき、保留部２１の１枚目を保留するスペースにＩＣコイン２０が到達するのを検出すると、第１のアンテナ１８１はＩＣコイン２０のＩＣチップに予め記憶されている金額情報を読み出し、読み出した金額情報は制御部９に送出される。制御部９は受け取ったＩＣコイン２０の金額情報と硬貨１９の金額との合計金額を自動販売機の主制御装置２に送信し、自動販売機の主制御装置２は受信した合計金額に基づき、商品の販売を行う。
【００４４】
ここで、ＩＣコイン２０と硬貨１９との合計金額が商品の販売金額と同額である場合、制御部９は「金額＝０」の金額情報を第１のアンテナ１８１に送信し、第１のアンテナ１８１は受信した「金額＝０」の金額情報をＩＣコイン２０のＩＣチップに書き込む。そして、ＩＣコイン２０は保留部２１から排出され、図示しない自動販売機１の返却口に搬送される。また、保留部２１でＩＣコイン２０の後に保留されている硬貨１９も保留部２１から排出される。
【００４５】
また、ＩＣコイン２０と硬貨１９との合計金額が商品の販売金額より多く、釣銭が発生する場合、制御部９は釣銭の金額情報を第１のアンテナ１８１に送信し、第１のアンテナ１８１は受信した釣銭の金額情報をＩＣコイン２０のＩＣチップに書き込む。そして、ＩＣコイン２０は保留部２１から排出され、図示しない自動販売機１の返却口に搬送される。
【００４６】
なお、ＩＣコイン２０に「金額＝０」の金額情報を書き込み、硬貨１９を釣銭として返却する構成でも良いし、釣銭を硬貨１９として返却するか、若しくは釣銭の金額情報をＩＣコイン２０に書き込むかを利用者に選択させる構成も適用可能である。
【００４７】
なお、硬貨１９を投入する前にＩＣコイン２０を最初に投入した場合、保留部２１の１枚目を保留するスペースにＩＣコイン２０が到達したと同時にＩＣコイン２０のＩＣチップの読み出しを行う。
【００４８】
また、プリペイ方式決算システムの場合、硬貨処理装置３に保管しているＩＣコイン２０に金額情報を書き込んで販売する動作もある。
【００４９】
ユーザは紙幣（若しくは硬貨１９）を投入し、投入された紙幣（若しくは硬貨１９）の金額は制御部９に送出される。そして、ユーザが自動販売機１に設置された図示しないＩＣコイン購入専用のボタンを操作等すると、ＩＣコイン専用チューブ２２に保管されているＩＣコイン２０を新規書込み部２３に搬送する。
【００５０】
そして、新規書込み部２３には第２のアンテナ１８２が配置されていて、ＩＣコイン２０が新規書込み部２３に到達した際に、投入された紙幣（若しくは硬貨２０）の金額は制御部９から第２のアンテナ１８２に送出され、第２のアンテナ１８２は金額情報をＩＣコイン２０のＩＣチップに書き込む。そして、ＩＣコイン２０のＩＣチップの書き込みが終了すると、新規書込み部２３から排出され、図示しない自動販売機１の返却口に搬送する。
【００５１】
ポイントシステムの場合、ユーザは硬貨１９と金額情報が予め記憶されているＩＣコイン２０とを自動販売機１に投入する。そして、硬貨１９とＩＣコイン２０とが硬貨処理装置３に投入されると、選別センサ１０が硬貨１９とＩＣコイン２０との選別を行う。
【００５２】
そして、選別センサ１０が硬貨１９と選別した際に、硬貨１９が選別コイル１１に到達すると、選別コイル１１が硬貨１９の正偽を識別するとともに、正貨と識別した硬貨１９の金種の識別を行い、選別コイル１１を通過した硬貨１９は保留部２１に一時的に保留される。ここで、硬貨１９の金種を識別した選別コイル１１は硬貨１９の金種を制御部９に送出し、制御部９は受け取った金種に基づいて硬貨１９の金額を認識し、金額を自動販売機の主制御装置２に送信し、自動販売機の主制御装置２は受信した金額に基づいて商品の販売を行う。
【００５３】
一方、選別コイル１０がＩＣコイン２０と選別した際に、ＩＣコイン２０は選別コイル１１に到達しても、選別コイル１１はＩＣコイン２０の識別を行わず、選別コイル１１を通過したＩＣコイン２０は保留部２１に一時的に保留される。
【００５４】
そして、硬貨１９とＩＣコイン２０とが保留部２１に保留される際に、制御部９は保留部２１の保留スペースにおける硬貨１９とＩＣコイン２０との配列順序を記憶部１７に記憶する。
【００５５】
ＩＣコイン２０より先に投入された硬貨１９が収金処理または釣銭処理等のために保留部２１から排出され、記憶部１７に記憶している硬貨１９とＩＣコイン２０との配列順序に基づき、保留部２１の１枚目を保留するスペースにＩＣコイン２０が到達するのを検出すると、第１のアンテナ１８１はＩＣコイン２０のＩＣチップに予め記憶されているポイント情報を読み出し、読み出したポイント情報は制御部９に送出される。制御部９は受け取ったポイント情報と商品販売において発生したポイント情報とを加算して新ポイント情報を発行し、新ポイント情報を第１のアンテナ１８１に送信する。第１のアンテナ１８１は受信した新ポイント情報をＩＣコイン２０のＩＣチップに書き込む。そして、ＩＣコイン２０は保留部２１から搬出され、図示しない自動販売機１の返却口に搬送される。また、保留部２１でＩＣコイン２０の後に保留されている硬貨１９は保留部２１から搬出される。
【００５６】
なお、ＩＣコイン２０に予め記憶されたポイント情報を使用して商品等を購入する場合は、プリペイ方式決算システムにおける同様な動作が行われる。
【００５７】
次に、プリペイ方式決算システムにおいて、硬貨１９およびＩＣコイン２０が投入された際の硬貨処理装置３の処理手順について図４に示すフローチャートを参照して説明する。
【００５８】
硬貨とＩＣコインとが硬貨処理装置に投入され（ステップＳ４０１）、選別センサが硬貨とＩＣコインとを選別する（ステップＳ４０２）。
【００５９】
ここで、選別センサが硬貨と選別すると（ステップＳ４０３でＹＥＳ）、選別コイルが硬貨の正偽と金種とを識別し（ステップＳ４０４）、識別した硬貨の金種を制御部に送出し（ステップＳ４０５）、硬貨は保留部に保留される（ステップＳ４０６）。
【００６０】
また、ステップＳ４０３において、選別センサがＩＣコインと選別すると（ステップＳ４０３でＮＯ）、ＩＣコインは選別コイルを通過して保留部に保留される（ステップＳ４０６）。
【００６１】
次に、保留部で保留されている硬貨とＩＣコインとの配列順序を記憶部に記憶し（ステップＳ４０７）、保留部に投入された全ての硬貨とＩＣコインとを保留するまでステップＳ４０２からステップＳ４０７までの処理が繰り返される。
【００６２】
ここで、保留部に投入された全ての硬貨とＩＣコインとを保留し（ステップＳ４０８でＹＥＳ）、記憶部に記憶された保留部での配列順序に基づき、保留部における配列順序の１枚目が硬貨の場合（ステップＳ４０９でＮＯ）、１枚目の硬貨を保留部から排出し（ステップＳ４１０）、ステップＳ４０９に戻る。
【００６３】
また、保留部における配列順序の１枚目がＩＣコインの場合（ステップＳ４０９でＹＥＳ）、ＩＣコインに記憶されている金額情報を読み出し（ステップＳ４１１）、読み出した金額情報と硬貨の金額との合計金額に基づき、商品を販売し（ステップＳ４１２）、商品販売後の金額情報をＩＣコインに書き込み（ステップＳ４１３）、ＩＣコインを保留部から排出して返却し（ステップＳ４１４）、保留部に保留されている残りの硬貨を排出し（ステップＳ４１５）、保留部に硬貨が無ければ（ステップＳ４１６）、処理手順を終了する。
【００６４】
次に、プリペイ方式決算システムにおいて、保管しているＩＣコイン２０に金額情報を書き込んで販売する際の硬貨処理装置３の処理手順について図５に示すフローチャートを参照して説明する。
【００６５】
紙幣（若しくは硬貨）が硬貨処理装置に投入され（ステップＳ５０１）、投入された紙幣（若しくは硬貨）の金額情報が制御部に送信され（ステップＳ５０２）、ユーザがＩＣコイン購入ボタンを操作し（ステップＳ５０３）、硬貨処理装置に保管されていたＩＣコインを新規書込み部に送り（ステップＳ５０４）、ＩＣコインに金額情報を書き込み（ステップＳ５０５）、金額情報を書き込んだＩＣコインを払い出し（ステップＳ５０６）、処理手順を終了する。
【００６６】
次に、ポイントシステムにおいて、硬貨１９およびＩＣコイン２０が投入された際の硬貨処理装置３の処理手順について図６に示すフローチャートを参照して説明する。
【００６７】
硬貨とＩＣコインとが硬貨処理装置に投入され（ステップＳ６０１）、選別センサが硬貨とＩＣコインとを選別する（ステップＳ６０２）。
【００６８】
ここで、選別センサが硬貨と選別すると（ステップＳ６０３でＹＥＳ）、選別コイルが硬貨の正偽と金種とを識別し（ステップＳ６０４）、識別した硬貨の金種を制御部に送出し（ステップＳ６０５）、硬貨は保留部に保留される（ステップＳ６０６）。
【００６９】
また、ステップＳ６０３において、選別センサがＩＣコインと選別すると（ステップＳ６０３でＮＯ）、ＩＣコインは選別コイルを通過して保留部に保留される（ステップＳ６０６）。
【００７０】
次に、保留部で保留されている硬貨とＩＣコインとの配列順序を記憶部に記憶し（ステップＳ６０７）、保留部に投入された全ての硬貨とＩＣコインとを保留するまでステップＳ６０２からステップＳ６０７までの処理が繰り返される。
【００７１】
ここで、保留部に投入された全ての硬貨とＩＣコインとを保留し（ステップＳ６０８でＹＥＳ）、硬貨の金額に基づいて商品を販売し（ステップＳ６０９）、記憶部に記憶された保留部での配列順序に基づき、保留部における配列順序の１枚目が硬貨の場合（ステップＳ６１０でＮＯ）、１枚目の硬貨を保留部から排出し（ステップＳ６１１）、ステップＳ６１０に戻る。
【００７２】
また、保留部における配列順序の１枚目がＩＣコインの場合（ステップＳ６１０でＹＥＳ）、ＩＣコインに記憶されている金額情報を読み出し（ステップＳ６１２）、商品販売の際に発生したポイントを加算した新ポイント情報をＩＣコインに書き込み（ステップＳ６１３）、ＩＣコインを保留部から排出して返却し（ステップＳ６１４）、保留部に保留されている残りの硬貨を排出し（ステップＳ６１５）、保留部に硬貨が無ければ（ステップＳ６１６）、処理手順を終了する。
【００７３】
なお、上記で説明した実施の形態では、自動販売機の主制御装置２とのデータ（金額情報またはポイント数等）の送受およびアンテナ１８がＩＣコイン２０へポイント数若しくは金額情報等を書き込む際の制御を硬貨処理装置３に内蔵する制御部９で行う構成を一例にして説明してきたが、この制御部９を硬貨処理装置３から独立する構成も適用可能である。
【００７４】
【発明の効果】
以上説明したように本発明によれば、あらゆる種類の自動販売機がＩＣコインを使用するポイントシステムおよびプリペイ方式決算システムを適用できることを可能にするという効果を奏する。
【図面の簡単な説明】
【図１】自動販売機１内部の構成の一例を示すブロック図である。
【図２】硬貨処理装置３内部の構成の一例を示すブロック図である。
【図３】硬貨１９およびＩＣコイン２０が投入された際の硬貨処理装置３の動作について説明する図である。
【図４】プリペイ方式決算システムにおいて、硬貨１９およびＩＣコイン２０が投入された際の硬貨処理装置３の処理手順を示すフローチャートである。
【図５】プリペイ方式決算システムにおいて、保管しているＩＣコイン２０に金額情報を書き込んで販売する際の硬貨処理装置３の処理手順を示すフローチャートである。
【図６】ポイントシステムにおいて、硬貨１９およびＩＣコイン２０が投入された際の硬貨処理装置３の処理手順を示すフローチャートである。
【符号の説明】
１　　自動販売機
２　　自動販売機の主制御装置
３　　硬貨処理装置
４　　紙幣処理装置
５　　商品払出制御装置
６　　パネル表示装置
７　　キー入力装置
８　　シリアル通信バス
９　　制御部
１０　　選別センサ
１１　　選別コイル
１２　　振分部
１３　　パスセンサ
１４　　払出モータ
１５　　エンプティスイッチ
１６　　データ交換制御部
１７　　記憶部
１８　　アンテナ
１９　　硬貨
２０　　ＩＣコイン
２１　　保留部
２２　　ＩＣコイン専用チューブ
２３　　新規書き込み部
１８１　　第１のアンテナ
１８２　　第２のアンテナ
【図１】
2004054346.tif 000003
【図２】
2004054346.tif 000004
【図３】
2004054346.tif 000005
【図４】
2004054346.tif 000006
【図５】
2004054346.tif 000007
【図６】
2004054346.tif 000008